(57)【要約】【課題】操作画面において操作部の操作ガイドを直感的に分かり易くすることができる車両用表示装置を提供する。【解決手段】車両用表示装置は、操作画面を表示するディスプレイ１０と、ディスプレイ１０とは別に設けられた操作部と、ディスプレイ１０に対する表示制御を行う表示制御部とを備えている。操作部は、回転操作可能に構成され、表示制御部は、操作画面に操作部の形状を模した操作部画像４７を表示させると共に操作部画像４７に重なる位置に操作部の回転操作によって選択可能である選択項目を表示させる。【選択図】図４
2019056841.tif 000002
【特許請求の範囲】
【請求項１】
操作画面を表示するディスプレイと、前記ディスプレイとは別に配置されて前記操作画面に対する操作を行う操作部と、前記ディスプレイに対する表示制御を行う表示制御部とを備えた車両用表示装置であって、
前記操作部は、回転操作可能に構成され、
前記表示制御部は、前記操作画面に前記操作部の形状を模した操作部画像を表示させると共に前記操作部画像に重なる位置に前記操作部の回転操作によって選択可能である選択項目を表示させる、
ことを特徴とする車両用表示装置。
【請求項２】
前記表示制御部は、前記操作部の回転操作に連動して回転するように前記操作部画像を表示させる、
ことを特徴とする請求項１に記載の車両用表示装置。
【請求項３】
前記操作部は、回転操作可能に構成されると共に円形状に形成されたコマンダ部を有し、
前記表示制御部は、前記操作部画像として前記コマンダ部の形状を模した円弧状画像を表示させる、
ことを特徴とする請求項１又は請求項２に記載の車両用表示装置。
【請求項４】
前記表示制御部は、前記コマンダ部の回転操作によって選択可能である前記選択項目を上下方向に並んで表示させると共に前記コマンダ部の右回りの回転操作に応じて選択される前記選択項目が下方に配置される前記選択項目に移動するように表示させ、且つ前記円弧状画像の右側の輝度を前記円弧状画像の左側の輝度より高く表示させる、
ことを特徴とする請求項３に記載の車両用表示装置。
【請求項５】
前記操作部は、傾動操作可能に構成され、
前記表示制御部は、前記操作部の傾動操作によって選択可能である選択項目のアイコンを前記操作部画像の外側において前記操作部の傾動操作の操作方向に表示させる、
ことを特徴とする請求項１から請求項４の何れか１項に記載の車両用表示装置。
【発明の詳細な説明】
【技術分野】
【０００１】
本発明は、ディスプレイとは別に配置された操作部によってディスプレイの操作画面に対する操作を行う車両用表示装置に関する。
【背景技術】
【０００２】
自動車等の車両では、運転者によって視認することができる車室前部の所定位置に配設されたディスプレイにナビゲーション装置やオーディオ装置等の車載装置の操作画面を表示し、運転席横のコンソール部に配置された操作部によって操作画面に対する操作を行う車両用表示装置を搭載したものが知られている。
【０００３】
前記車両用表示装置では、車両走行中に運転者が操作部に視線を移動させることが難しいことから、操作部の操作を容易にするためにディスプレイの操作画面に操作部の操作を案内する操作ガイドを表示させるようにしたものが知られている。
【０００４】
例えば特許文献１には、ディスプレイとディスプレイの操作画面に対する操作を行うコマンダ部とを備え、コマンダ部において操作者による接触を検知すると、操作画面にコマンダ部の操作ガイドを表示させる車両用表示装置が開示されている。
【先行技術文献】
【特許文献】
【０００５】
【特許文献１】特開２０１０−１２９０７０号公報
【発明の概要】
【発明が解決しようとする課題】
【０００６】
前記特許文献１に記載の車両用表示装置では、ディスプレイの操作画面に操作部としてのコマンダ部の形状を模した操作部画像を表示させると共に操作部画像の外側にコマンダ部の操作によって選択可能である選択項目を表示させ、操作部画像と選択項目とを別々に表示させた操作ガイドが用いられている。
【０００７】
しかしながら、車室前部に配設されるディスプレイの操作画面は比較的小さく限られたスペースを有することから、操作部画像と選択項目とが別々に表示されると操作部画像と選択項目とが小さく表示され、運転者が操作ガイドを認識することが難しい場合がある。
【０００８】
そこで、本発明は、操作画面において操作部の操作ガイドを直感的に分かり易くすることができる車両用表示装置を提供することを課題とする。
【課題を解決するための手段】
【０００９】
前記課題を解決するため、本発明は、次のように構成したことを特徴とする。
【００１０】
まず、本願の請求項１に記載の発明は、操作画面を表示するディスプレイと、前記ディスプレイとは別に配置されて前記操作画面に対する操作を行う操作部と、前記ディスプレイに対する表示制御を行う表示制御部とを備えた車両用表示装置であって、前記操作部は、回転操作可能に構成され、前記表示制御部は、前記操作画面に前記操作部の形状を模した操作部画像を表示させると共に前記操作部画像に重なる位置に前記操作部の回転操作によって選択可能である選択項目を表示させることを特徴とする。
【００１１】
また、請求項２に記載の発明は、前記請求項１に記載の発明において、前記表示制御部は、前記操作部の回転操作に連動して回転するように前記操作部画像を表示させることを特徴とする。
【００１２】
また、請求項３に記載の発明は、前記請求項１又は請求項２に記載の発明において、前記操作部は、回転操作可能に構成されると共に円形状に形成されたコマンダ部を有し、前記表示制御部は、前記操作部画像として前記コマンダ部の形状を模した円弧状画像を表示させることを特徴とする。
【００１３】
また、請求項４に記載の発明は、前記請求項３に記載の発明において、前記表示制御部は、前記コマンダ部の回転操作によって選択可能である前記選択項目を上下方向に並んで表示させると共に前記コマンダ部の右回りの回転操作に応じて選択される前記選択項目が下方に配置される前記選択項目に移動するように表示させ、且つ前記円弧状画像の右側の輝度を前記円弧状画像の左側の輝度より高く表示させることを特徴とする。
【００１４】
また、請求項５に記載の発明は、前記請求項１から請求項４の何れか１項に記載の発明において、前記操作部は、傾動操作可能に構成され、前記表示制御部は、前記操作部の傾動操作によって選択可能である選択項目のアイコンを前記操作部画像の外側において前記操作部の傾動操作の操作方向に表示させることを特徴とする。
【発明の効果】
【００１５】
本願の請求項１に記載の発明によれば、車両用表示装置は、操作画面を表示するディスプレイと、ディスプレイとは別に配置された操作部と、ディスプレイに対する表示制御を行う表示制御部とを備えている。操作部は、回転操作可能に構成され、表示制御部は、操作画面に操作部の形状を模した操作部画像を表示させると共に操作部画像に重なる位置に操作部の回転操作によって選択可能である選択項目を表示させる。
【００１６】
これにより、操作画面において操作部画像に重なる位置に操作部の回転操作によって選択可能である選択項目が表示されるので、操作部画像と選択項目とを別々に表示させる場合に比して、運転者が操作部に視線を移動させることなく、限られたスペースを有する操作画面において運転者に操作部の回転操作によって選択可能である選択項目を直感的に認識させることができ、操作画面において操作部の操作ガイドを直感的に分かり易くすることができる。
【００１７】
また、請求項２に記載の発明によれば、操作部の回転操作に連動して回転するように操作部画像を表示させることにより、運転者に操作部の回転操作を直感的に認識させることができ、前記効果をより有効に奏することができる。
【００１８】
また、請求項３に記載の発明によれば、操作部は、円形状に形成されたコマンダ部を有し、操作部画像としてコマンダ部の形状を模した円弧状画像を表示させることにより、操作部が円形状のコマンダ部を有する場合に、前記効果を有効に得ることができる。
【００１９】
また、請求項４に記載の発明によれば、コマンダ部の右回りの回転操作に応じて選択される選択項目が下方に配置される選択項目に移動するように表示させると共にコマンダ部の形状を模した円弧状画像の右側の輝度を左側の輝度より高く表示させることにより、コマンダ部の右回りの回転操作によって選択される選択項目が下方に移動されることを直感的に認識させることができる。
【００２０】
また、請求項５に記載の発明によれば、操作部は、傾動操作可能に構成され、操作部の傾動操作によって選択可能である選択項目のアイコンを操作部画像の外側において操作部の傾動操作の操作方向に表示させることにより、運転者に操作部の傾動操作によって選択可能である選択項目を直感的に認識させることができ、前記効果をより有効に奏することができる。
【図面の簡単な説明】
【００２１】
【図１】本発明の実施形態に係る車両用表示装置が搭載された車両の車室を示す図である。
【図２】ディスプレイ用操作部を示す図である。
【図３】車両用表示装置の構成を示すブロック図である。
【図４】ディスプレイのホーム画面を示す図である。
【図５】コマンダ部を回転操作したときのホーム画面を示す図である。
【図６】ディスプレイのオーディオ画面を示す図である。
【図７】ディスプレイのＣＤ／ＤＶＤ画面の第１ページを示す図である。
【図８】ディスプレイのＣＤ／ＤＶＤ画面の第２ページを示す図である。
【図９】ディスプレイの別のホーム画面を示す図である。
【発明を実施するための形態】
【００２２】
以下、本発明の実施形態について添付図面を参照しながら説明する。
【００２３】
図１は、本発明の実施形態に係る車両用表示装置が搭載された車両の車室を示す図である。図１に示すように、本実施形態に係る車両用表示装置３０が搭載された車両１は、車体右側にハンドル２及び運転席３が配置されると共に車体左側に助手席４が配置された右ハンドル車であり、車室５の前部に、メータ表示ユニット６を有するインストルメントパネル７が組み込まれたダッシュボード８が配設されている。
【００２４】
ダッシュボード８は、車幅方向に延びるように設けられており、ダッシュボード８の車幅方向中央側にはディスプレイ１０が配設されている。ディスプレイ１０は、運転席３に着座した運転者によって視認することができる車室前部の所定位置に配置され、ナビゲーション装置やオーディオ装置等の車載装置の操作画面や各種情報などを示す表示画面を表示するようになっている。ディスプレイ１０は、例えば液晶ディスプレイなどから構成されている。
【００２５】
ダッシュボード８の車幅方向中央側にはまた、車体前後方向に延びるセンターコンソール部９が連結されている。センターコンソール部９は、運転席３の車幅方向中央側に配置され、センターコンソール部９には、変速機（不図示）を操作するシフトレバー１１が配設されると共にディスプレイ１０の操作画面に対する操作を行うディスプレイ用操作部２０が配設されている。
【００２６】
図２は、ディスプレイ用操作部を示す図である。図２に示すように、ディスプレイ用操作部２０は、円柱状に形成されて外形が円形状に形成されたコマンダ部２１を有している。コマンダ部２１は、正回転である右回り及び逆回転である左回りの回転操作と、車体前後方向及び車体左右方向の傾動操作と、押し下げ操作とが可能に構成されている。車両１では、コマンダ部２１の回転操作及び傾動操作によってディスプレイ１０の操作画面において選択項目が選択され、コマンダ部２１の押し下げ操作によって選択された選択項目が決定される。
【００２７】
操作部２０は、コマンダ部２１の周囲に４つのプッシュボタン部２２、２３、２４、２５を有している。コマンダ部２１の左前側に第１プッシュボタン部２２が配置され、コマンダ部２１の右前側に第２プッシュボタン部２３が配置され、コマンダ部２１の右後側に第３プッシュボタン部２４が配置され、コマンダ部２１の左後側に第４プッシュボタン部２５が配置されている。４つのプッシュボタン部２２、２３、２４、２５は、押し下げ操作が可能に構成されている。
【００２８】
操作部２０はまた、第４プッシュボタン２５の左側に第５プッシュボタン部２６を有し、第５プッシュボタン部２６は、押し下げ操作が可能に構成されている。
【００２９】
センターコンソール部９には、第５プッシュボタン部２６の前側に音量調整スイッチ部２７が配設されている。音量調整スイッチ部２７は、右回り及び左回りの回転操作が可能に構成され、回転操作によって車両１に搭載されたスピーカ（不図示）の音量を調節できるようになっている。
【００３０】
第２プッシュボタン部２３及び第３プッシュボタン部２４の右側には電動パーキングブレーキスイッチ部２８が配設されている。電動パーキングブレーキスイッチ部２８は、引き上げ操作及び押し下げ操作が可能に構成され、引き上げ操作によってパーキングブレーキを作動させ、押し下げ操作によってパーキングブレーキを解除させるようになっている。
【００３１】
図３は、車両用表示装置の構成を示すブロック図である。図３に示すように、車両用表示装置３０は、ディスプレイ１０と、ディスプレイ１０とは別に配置されてディスプレイ１０の操作画面に対する操作を行うディスプレイ用操作部２０と、ディスプレイ１０に対する表示制御を行う制御ユニット３５とを備えている。
【００３２】
前述したように、ディスプレイ１０は、車載装置の操作画面や各種情報などを示す表示画面を表示するようになっている。ディスプレイ用操作部２０は、回転操作、傾動操作及び押し下げ操作が可能に構成され、コマンダ部２１が回転操作、傾動操作及び押し下げ操作可能に構成され、第１、第２、第３、第４及び第５プッシュボタン部２２、２３、２４、２５、２６が押し下げ操作可能に構成されている。
【００３３】
制御ユニット３５は、ディスプレイ１０に対する表示制御を行う表示制御部３６を備え、ディスプレイ１０の操作画面や表示画面に対する表示制御を行うようになっている。制御ユニット３５は、ディスプレイ用操作部２０の操作が入力されるとディスプレイ用操作部２０の操作に応じてディスプレイ１０の操作画面に対する表示制御を行い、操作画面にはディスプレイ用操作部２０の操作ガイドを表示させる。
【００３４】
制御ユニット３５はまた、ディスプレイ用操作部２０の操作に応じて車載装置の操作を制御する操作制御部（不図示）を備え、ディスプレイ用操作部２０の操作に応じて車載装置の操作制御を行うようになっている。なお、制御ユニット３５は、コンピュータを主要部として構成されている。
【００３５】
図４は、ディスプレイのホーム画面を示す図である。図４に示すように、ディスプレイ１０には先ず、操作画面としてのホーム画面４０が表示される。ホーム画面４０には、操作部画像表示部４１、回転選択項目表示部４２、傾動選択項目表示部４３及び傾動選択内容表示部４４と時計表示部４５とが設けられている。
【００３６】
操作部画像表示部４１には、操作部２０の形状を模した操作部画像４７が表示され、操作部画像４７としてコマンダ部２１の形状を模した円弧状画像４７が表示される。円弧状画像４７は、右側の半円弧状部分４７ａと左側の半円弧状部分４７ｂとから形成されている。
【００３７】
操作部画像４７は、コマンダ部２１の回転操作に連動して回転するように表示される。操作部画像４７では、円弧状画像４７の一部分が拡幅された拡幅部４７ｃがコマンダ部２１の回転操作に応じて円弧状画像４７の周方向に移動するように表示され、コマンダ部２１の回転操作に連動して回転するように表示される。
【００３８】
回転選択項目表示部４２には、コマンダ部２１の回転操作によって選択可能である選択項目が表示され、選択項目として「情報」、「オーディオ」、「コミュニケーション」、「ナビゲーション」及び「設定」がアイコンと共に文字として表示される。
【００３９】
コマンダ部２１の回転操作によって選択可能である選択項目は、上下方向に並んで表示される。ホーム画面４０が表示されたときには先ず、最上部に配置された選択項目が選択された状態で表示され、他の選択項目よりサイズが大きく表示される。ディスプレイ１０の各操作画面では、コマンダ部２１の操作によって選択される選択項目は、選択されるとサイズが大きく識別して表示される。
【００４０】
本実施形態では、コマンダ部２１の正回転である右回りの回転操作に応じて選択される選択項目が下方に配置される選択項目に移動するように表示され、サイズが大きく表示される選択項目が下方に配置される選択項目に順次移動するように表示される。
【００４１】
回転選択項目表示部４２は、操作部画像表示部４１と共に画面左側において重なるように配置され、操作部画像４７に重なる位置にコマンダ部２１の回転操作によって選択可能である選択項目が上下方向に並んで表示される。
【００４２】
コマンダ部２１の右回りの回転操作に応じて選択される選択項目が下方に移動するように表示される場合、コマンダ部２１の回転操作の右回りの方向に対応して円弧状画像４７の右側４７ａの輝度が円弧状画像４７の左側４７ｂの輝度より高く表示される。
【００４３】
図５は、コマンダ部を回転操作したときのホーム画面を示す図である。図５に示すように、図４に示すホーム画面４０において、運転者によってコマンダ部２１の右回りの回転操作が行われて選択項目としての「オーディオ」が選択される場合、操作部画像４７がコマンダ部２１の回転操作に連動して回転するように表示されると共に選択項目としての「オーディオ」が他の選択項目よりも大きく表示される。
【００４４】
ホーム画面４０において他の選択項目が選択される場合についても同様に、コマンダ部２１の右回りの回転操作によって他の選択項目が選択される場合、操作部画像４７がコマンダ部２１の回転操作に連動して回転するように表示されると共に選択された選択項目が他の選択項目よりも大きく表示される。
【００４５】
なお、コマンダ部２１の右回りの回転操作が行われた後にコマンダ部２１の逆回転である左回りの回転操作が行われる場合には、コマンダ部２１の左回りの回転操作に応じて選択される選択項目が上方に移動するように表示され、コマンダ部２１の左回りの回転操作に応じてサイズが大きく表示される選択項目が上方に移動するように表示される。
【００４６】
傾動選択項目表示部４３は、操作部画像４７の外側に設けられ、傾動選択項目表示部４３には、コマンダ部２１の傾動操作によって選択可能である選択項目のアイコンがコマンダ部２１の傾動操作の操作方向に対応する方向に表示される。本実施形態では、コマンダ部２１の左側への傾動操作によって選択可能である選択項目のアイコンが左方向に表示される。
【００４７】
制御ユニット３５に車載装置として電子メール送受信装置（不図示）が接続されて制御ユニット３５によって電子メール送受信装置が受信したメールのメッセージをディスプレイ１０に表示させるようになっている場合、図４に示すように、電子メール送受信装置がメールを受信すると、受信したメールのメッセージ画面を表示させる選択項目として「メッセージ」のアイコン４８が表示される。
【００４８】
傾動選択内容表示部４４は、画面右側に配置され、傾動選択項目表示部４３にアイコン４８が表示される場合にアイコン４８に対応する選択項目の内容が表示される。傾動選択項目表示部４３に選択項目として「メッセージ」のアイコン４８が表示される場合には、「メッセージ」の内容として受信したメールのメッセージの送信者データが表示される。
【００４９】
時計表示部４５は、操作部画像表示部４１の画面右側且つ傾動選択内容表示部４４の画面左側に配置され、時計表示部４５には、操作部画像４７の外側における右側に時計が表示される。
【００５０】
このように表示されたホーム画面４０において、コマンダ部２１の回転操作によって選択可能である選択項目の１つが選択されてコマンダ部２１の押し下げ操作によって決定されると、選択された選択項目ごとに操作画面が階層的に表示され、ディスプレイ１０に操作画面として情報画面、オーディオ画面、コミュニケーション画面、ナビゲーション画面又は設定画面が階層的に表示される。
【００５１】
図６は、ディスプレイのオーディオ画面を示す図である。ホーム画面４０において選択項目として「オーディオ」が選択されて決定されると、図６に示すように、ディスプレイ１０に操作画面として上位階層のオーディオ画面５０が表示される。オーディオ画面５０には、操作部画像表示部５１、回転選択項目表示部５２及び傾動選択項目表示部５３が設けられると共に、回転選択イメージ表示部５４が設けられている。
【００５２】
回転選択項目表示部５２には、コマンダ部２１の回転操作によって選択可能である選択項目が表示され、選択項目として「ＡＭ／ＦＭラジオ」、「インターネットラジオ」、「ＴＶ」及び「ＣＤ／ＤＶＤ」が文字として表示される。
【００５３】
回転選択項目表示部５２についても、コマンダ部２１の回転操作によって選択可能である選択項目は、上下方向に並んで表示される。オーディオ画面５０が表示されたときには先ず、最上部に配置された選択項目が選択された状態で表示され、他の選択項目よりサイズが大きく表示されると共に選択項目の上下にラインが表示される。
【００５４】
また、コマンダ部２１の正回転である右回りの回転操作に応じて選択される選択項目が下方に配置される選択項目に移動するように表示され、サイズが大きく表示されると共に上下にラインが表示される選択項目が下方に配置される選択項目に順次移動するように表示される。図６では、選択項目として「ＣＤ／ＤＶＤ」が選択された状態を示している。
【００５５】
なお、コマンダ部２１の右回りの回転操作が行われた後にコマンダ部２１の逆回転である左回りの回転操作が行われる場合には、コマンダ部２１の左回りの回転操作に応じて選択される選択項目が上方に移動するように表示される。
【００５６】
操作部画像表示部５１には、操作部画像表示部４１の操作部画像４７と同位置に同様に、操作部２０の形状を模した第１操作部画像５７が表示され、第１操作部画像５７としてコマンダ部２１の形状を模した円弧状画像５７が表示される。円弧状画像５７は、右側の半円弧状部分５７ａと左側の半円弧状部分５７ｂとから形成されている。
【００５７】
第１操作部画像５７についても、コマンダ部２１の回転操作に連動して回転するように表示されると共に、コマンダ部２１の回転操作の正回転である右回りの方向に対応して円弧状画像５７の右側５７ａの輝度が円弧状画像５７の左側５７ｂの輝度より高く表示される。
【００５８】
操作部画像表示部５１にはまた、第１操作部画像５７の外側において操作部２０の回転操作の正回転に対応した方向に操作部２０の形状の少なくとも一部を模した第２操作部画像５９が表示され、第２操作部画像５９としてコマンダ部２１の形状を模した円弧状画像５９が表示される。第２操作部画像５９の円弧状画像は、第１操作部画像５７の右側に同心円弧として表示される。
【００５９】
オーディオ画面５０についても、回転選択項目表示部５２は、操作部画像表示部５１と共に画面左側において重なるように配置され、第１操作部画像５７に重なる位置にコマンダ部２１の回転操作によって選択可能である選択項目が上下方向に並んで表示される。
【００６０】
傾動選択項目表示部５３は、第１操作部画像５７の外側に設けられ、傾動選択項目表示部５３には、コマンダ部２１の傾動操作によって選択可能である選択項目のアイコンがコマンダ部２１の傾動操作の操作方向に対応する方向に表示される。オーディオ画面５０では、第１操作部画像５７の外側においてコマンダ部２１の左側への傾動操作によって選択可能である選択項目として「前画面」のアイコン５８が左方向に表示される。
【００６１】
回転選択イメージ表示部５４は、画面右側に配置され、回転選択項目表示部５２に表示された選択項目のうち選択された選択項目のイメージ画像が表示される。図６に示すように、選択項目として「ＣＤ／ＤＶＤ」が選択された場合、選択項目のイメージ画像としてディスク画像が表示される。他の選択項目が選択された場合についても同様に、選択項目のイメージ画像が表示される。
【００６２】
このように表示されたオーディオ画面５０において、コマンダ部２１の回転操作によって選択可能である選択項目の１つが選択されてコマンダ部２１の押し下げ操作によって決定されると、ディスプレイ１０に操作画面として下位階層のオーディオ画面が表示され、選択項目に応じてＡＭ／ＦＭラジオ画面、インターネットラジオ画面、ＴＶ画面又はＣＤ／ＤＶＤ画面が表示される。
【００６３】
図７は、ディスプレイのＣＤ／ＤＶＤ画面の第１ページを示す図であり、図８は、ディスプレイのＣＤ／ＤＶＤ画面の第２ページを示す図である。オーディオ画面５０において選択項目として「ＣＤ／ＤＶＤ」が選択されて決定されると、図７に示すように、ディスプレイ１０に操作画面として下位階層のオーディオ画面であるＣＤ／ＤＶＤ画面６０が表示される。ＣＤ／ＤＶＤ画面６０には、操作部画像表示部６１、回転選択項目表示部６２、傾動選択項目表示部６３が設けられると共に、操作画面イメージ表示部６４が設けられている。
【００６４】
回転選択項目表示部６２には、コマンダ部２１の回転操作によって選択可能である選択項目が表示され、選択項目として「音楽ファイル名：１」〜「音楽ファイル名：７」が文字として表示される。
【００６５】
回転選択項目表示部６２についても、コマンダ部２１の回転操作によって選択可能である選択項目は、上下方向に並んで表示される。ＣＤ／ＤＶＤ画面６０が表示されたときには先ず、最上部に配置された選択項目が選択された状態で表示され、他の選択項目よりサイズが大きく表示されると共に選択項目の上下にラインが表示される。
【００６６】
ＣＤ／ＤＶＤ画面６０では、コマンダ部２１の回転操作によって選択可能である選択項目が複数のページ、具体的には２つのページに分割して表示される。図７に示すように、選択項目として「音楽ファイル名：１」〜「音楽ファイル名：４」が第１ページ６０ａに表示され、図８に示すように、選択項目として「音楽ファイル名：５」〜「音楽ファイル名：７」が第２ページ６０ｂに表示される。
【００６７】
また、コマンダ部２１の正回転である右回りの回転操作に応じて選択される選択項目が下方に配置される選択項目に移動するように表示される。第１ページ６０ａにおいて、コマンダ部２１の右回りの回転操作に応じて選択される選択項目が下方に配置される選択項目に移動するように表示され、選択項目として「音楽ファイル名：４」が選択された状態からコマンダ部２１の右回りの回転操作が行われると、図８に示すように、第２ページ６０ｂが表示されて選択項目として「音楽ファイル名：５」が選択される。第２ページ６０ｂについても、コマンダ部２１の右回りの回転操作に応じて選択される選択項目が下方に配置される選択項目に移動するように表示される。
【００６８】
なお、ＣＤ／ＤＶＤ画面６０についても、コマンダ部２１の右回りの回転操作が行われた後にコマンダ部２１の逆回転である左回りの回転操作が行われる場合には、コマンダ部２１の左回りの回転操作に応じて選択される選択項目が上方に移動するように表示される。
【００６９】
操作部画像表示部６１には、操作部画像表示部５１の第１操作部画像５７と同位置に同様に、操作部２０の形状を模した第１操作部画像６７が表示され、第１操作部画像６７としてコマンダ部２１の形状を模した円弧状画像６７が表示され、円弧状画像６７は、右側の半円弧状部分６７ａと左側の半円弧状部分６７ｂとから形成されている。
【００７０】
第１操作部画像６７についても、コマンダ部２１の回転操作に連動して回転するように表示されると共に、コマンダ部２１の回転操作の正回転である右回りの方向に対応して円弧状画像６７の右側６７ａの輝度が円弧状画像６７の左側６７ｂの輝度より高く表示される。
【００７１】
操作部画像表示部６１にはまた、第１操作部画像６７の外側において操作部２０の回転操作の正回転に対応した方向に操作部２０の形状の少なくとも一部を模した第２操作部画像６９が表示され、第２操作部画像６９としてコマンダ部２１の形状を模した円弧状画像６９が表示される。第２操作部画像６９の円弧状画像は、第１操作部画像６７の右側に同心円弧として表示される。
【００７２】
オーディオ画面では、第２操作部画像は、操作画面の階層が深くなるほど第１操作部画像から離れた位置に表示される。図６から図８に示すように、下位階層のオーディオ画面であるＣＤ／ＤＶＤ画面６０における第２操作部画像６９の円弧状画像は、上位階層のオーディオ画面５０における第２操作部画像５９の円弧状画像より第１操作部画像６７から離れた位置に表示される。
【００７３】
ＣＤ／ＤＶＤ画面６０のように、コマンダ部２１の回転操作によって選択可能である選択項目が複数のページに表示される場合、第２操作部画像が複数のページに対応した複数の区域に区分され、表示されるページに対応した第２操作部画像の区域が他の区域と識別して表示される。
【００７４】
第２操作部画像としての円弧状画像が表示される場合、第２操作部画像が周方向に、コマンダ部２１の回転操作の正回転である右回りの方向に回転方向上流側から回転方向下流側に第１ページから順に複数のページが対応するように複数の区域に区分され、表示されるページに対応した第２操作部画像の区域が他の区域と識別して表示される。
【００７５】
ＣＤ／ＤＶＤ画面６０では、コマンダ部２１の回転操作によって選択可能である選択項目が第１ページ６０ａ及び第２ページ６０ｂに表示され、第２操作部画像６９の円弧状画像が周方向に、コマンダ部２１の回転操作の右回りの方向に回転方向上流側から回転方向下流側に第１ページ６０ａ及び第２ページ６０ｂにそれぞれ対応するように第１区域６９ａ及び第２区域６９ｂに区分される。
【００７６】
図７に示すように、第１ページ６０ａが表示される場合には、第２操作部画像６９の第１区域６９ａが第２区域６９ｂより輝度が高く識別して表示され、図８に示すように、第２ページ６０ｂが表示される場合には、第２操作部画像６９の第２区域６９ｂが第１区域６９ａより輝度が高く識別して表示される。
【００７７】
ＣＤ／ＤＶＤ画面６０についても、回転選択項目表示部６２は、操作部画像表示部６１と共に画面左側において重なるように配置され、操作部画像６７に重なる位置にコマンダ部２１の回転操作によって選択可能である選択項目が上下方向に並んで表示される。
【００７８】
傾動選択項目表示部６３は、傾動選択項目表示部５３と同様に表示され、操作部画像６７の外側においてコマンダ部２１の左側への傾動操作によって選択可能である選択項目として「前画面」のアイコン６８が左方向に表示される。
【００７９】
操作画面イメージ表示部６４は、画面右側に配置され、回転選択イメージ表示部５４と同様に、操作画面であるＣＤ／ＤＶＤ画面６０のイメージ画像としてディスク画像が表示される。
【００８０】
このように表示されたＣＤ／ＤＶＤ画面６０において、コマンダ部２１の回転操作によって選択可能である選択項目の１つが選択されてコマンダ部２１の押し下げ操作によって決定されると、ディスプレイ１０に選択された選択項目の音楽ファイル名の情報が表示されると共にスピーカから選択された選択項目の音楽ファイル名の音楽が出力される。
【００８１】
一方、ＣＤ／ＤＶＤ画面６０において、コマンダ部２１の左側への傾動操作によって選択可能である選択項目としての「前画面」が選択されてコマンダ部２１の押し下げ操作によって決定されると、ディスプレイ１０に前画面として上位階層のオーディオ画面５０が表示される。
【００８２】
図６に示すオーディオ画面５０についても、コマンダ部２１の左側への傾動操作によって選択可能である選択項目としての「前画面」が選択されてコマンダ部２１の押し下げ操作によって決定されると、ディスプレイ１０に前画面としてホーム画面４０が表示される。
【００８３】
図４に示すホーム画面４０において、選択項目として「オーディオ」以外の選択項目が選択されて決定され、ディスプレイ１０に操作画面として情報画面、コミュニケーション画面、ナビゲーション画面又は設定画面が表示される場合についても、オーディオ画面５０が表示される場合と同様にそれぞれ操作画面が階層的に表示される。
【００８４】
情報画面、コミュニケーション画面、ナビゲーション画面、設定画面が表示される場合についても、階層ごとに操作画面に操作部２０の形状を模した第１操作部画像が表示されると共に操作部２０の回転操作によって選択可能である選択項目が上下方向に並んで表示される。
【００８５】
階層ごとに操作画面には、操作部２０の正回転の回転操作に応じて選択される選択項目が下方に配置される選択項目に移動するように表示されると共に、第１操作部画像の外側において操作部２０の回転操作の正回転に対応した方向に操作部２０の形状の少なくとも一部を模した第２操作部画像が表示され、第２操作部画像は、操作画面の階層が深くなるほど第１操作部画像から離れた位置に表示される。
【００８６】
また、階層ごとに操作画面には、操作部２０の回転操作によって選択可能である選択項目が複数のページに表示される場合には第２操作部画像が複数のページに対応した複数の区域に区分されて複数のページのうち表示されるページに対応した第２操作部画像の区域が他の区域と識別されて表示される。
【００８７】
一方、ホーム画面４０において、コマンダ部２１の左側への傾動操作によって選択可能である選択項目としての「メッセージ」が選択されてコマンダ部２１の押し下げ操作によって決定されると、ディスプレイ１０にコミュニケーション画面の下位階層の操作画面であるメッセージ画面が表示される。
【００８８】
本実施形態では、コミュニケーション画面においてコマンダ部２１の回転操作によって選択可能である選択項目として「電話」及び「メッセージ」が表示され、選択項目として「メッセージ」が選択されて決定されると、ディスプレイ１０に操作画面としてメッセージ画面が表示されるが、ホーム画面４０において選択項目として「メッセージ」が選択される場合についてもメッセージ画面が表示される。
【００８９】
ホーム画面４０では、コマンダ部２１の左側への傾動操作によって選択可能である選択項目として「メッセージ」が表示されているが、コマンダ部２１の左側への傾動操作によって選択可能である選択項目として他の選択項目を表示させることも可能である。
【００９０】
図９は、ディスプレイの別のホーム画面を示す図である。図９に示すように、ホーム画面４０´において、傾動選択項目表示部４３にコマンダ部２１の左側への傾動操作によって選択可能である選択項目として「警告」のアイコン４８´を表示させることも可能である。かかる場合、傾動選択内容表示部４４には、「警告」の内容として警告内容のイメージ画像が表示される。例えば、「警告」の内容がタイヤ空気圧異常である場合、図９に示すようにタイヤ異常のイメージ画像を表示させることが可能である。
【００９１】
ホーム画面４０では、操作部画像４７の外側においてコマンダ部２１の左側への傾動操作によって選択可能である選択項目のアイコンが左方向に表示されているが、コマンダ部２１の傾動操作によって選択可能である選択項目のアイコンをコマンダ部２１の傾動操作の操作方向に対応する右方向などの他の方向に表示させるようにしてもよい。
【００９２】
ディスプレイ１０はまた、操作部２０のコマンダ部２１の操作に加え、操作部２０のプッシュボタン部２２〜２６の押し下げ操作によって対応する画面が表示される。第１プッシュボタン部２２の押し下げ操作によってホーム画面４０が表示され、第２プッシュボタン部２３の押し下げ操作によって前画面が表示され、第３プッシュボタン部２４の押し下げ操作によってナビゲーション画面が表示され、第４プッシュボタン部２５の押し下げ操作によって予め設定されたお気に入りの画面が表示され、第５プッシュボタン部２６の押し下げ操作によってオーディオ画面５０が表示される。
【００９３】
本実施形態では、操作部２０は円形状に形成されたコマンダ部２１を有し、操作部画像４７、５７、６７として円弧状画像が表示されているが、コマンダ部として外形が二十角形状などの多角形状に形成されたコマンダ部を用い、ディスプレイ１０に操作部画像として多角形状画像を表示させるようにしてもよい。
【００９４】
また、ディスプレイ１０の操作画面に第１操作部画像５７、６７と第２操作部画像５９、６９とを表示させる場合、第１操作部画像５７、６７に重なる位置にコマンダ部２１の回転操作によって選択可能である選択項目を表示させているが、第１操作部画像５７、６７に重ならない位置に表示させるようにしてもよい。
【００９５】
また、第１操作部画像５７、６７と第２操作部画像５９、６９とを表示させる場合、第１操作部画像５７、６７の右側５７ａ、６７ａの輝度を左側５７ｂ、６７ｂの輝度より高く表示させているが、第１操作部画像５７、６７の右側５７ａ、６７ａの輝度と左側５７ｂ、６７ｂの輝度とを等しく表示させるようにしてもよい。
【００９６】
このように、本実施形態に係る車両用表示装置３０では、操作画面を表示するディスプレイ１０と、ディスプレイ１０とは別に配置された操作部２０と、ディスプレイ１０に対する表示制御を行う表示制御部３６とを備えている。操作部２０は、回転操作可能に構成され、表示制御部３６は、操作画面に操作部２０の形状を模した操作部画像４７を表示させると共に操作部画像４７に重なる位置に操作部２０の回転操作によって選択可能である選択項目を表示させる。
【００９７】
これにより、操作画面において操作部画像４７に重なる位置に操作部２０の回転操作によって選択可能である選択項目が表示されるので、操作部画像４７と選択項目とを別々に表示させる場合に比して、運転者が操作部２０に視線を移動させることなく、限られたスペースを有する操作画面において運転者に操作部２０の回転操作によって選択可能である選択項目を直感的に認識させることができ、操作画面において操作部２０の操作ガイドを直感的に分かり易くすることができる。
【００９８】
また、操作部２０の回転操作に連動して回転するように操作部画像４７を表示させる。これにより、運転者に操作部２０の回転操作を直感的に認識させることができる。
【００９９】
また、コマンダ部２１の右回りの回転操作に応じて選択される選択項目が下方に配置される選択項目に移動するように表示させると共にコマンダ部２１の形状を模した円弧状画像４７の右側４７ａの輝度を左側４７ｂの輝度より高く表示させる。これにより、コマンダ部２１の右回りの回転操作によって選択される選択項目が下方に移動されることを直感的に認識させることができる。
【０１００】
また、操作部２０は、傾動操作可能に構成され、操作部２０の傾動操作によって選択可能である選択項目のアイコン４８を操作部画像４７の外側において操作部２０の傾動操作の操作方向に表示させる。これにより、運転者に操作部２０の傾動操作によって選択可能である選択項目を直感的に認識させることができる。
【０１０１】
また、操作画面を階層的に表示させ、階層ごとに操作画面に操作部２０の形状を模した第１操作部画像５７、６７を表示させると共に操作部２０の回転操作によって選択可能である選択項目を上下方向に並んで表示させ、且つ操作部２０の正回転の回転操作に応じて選択される選択項目が下方に移動するように表示させると共に第１操作部画像５７、６７の外側において操作部２０の回転操作の正回転に対応した方向に操作部２０の形状の少なくとも一部を模した第２操作部画像５９、６９を表示させる。
【０１０２】
これにより、操作画面が階層的に表示される場合に、階層ごとに操作画面に第１操作部画像５７、６７が表示されると共に第１操作部画像５７、６７の外側において操作部２０の回転操作の正回転に対応した方向に第２操作部画像５９、６９が表示されるので、運転者が操作部２０に視線を移動させることなく、操作画面において運転者に操作部２０の回転操作の正回転を直感的に認識させることができ、操作画面において操作部２０の操作ガイドを直感的に分かり易くすることができる。
【０１０３】
例えば、操作部２０の回転操作の正回転が右回りである場合に、第１操作部画像５７、６７の外側において操作部２０の回転操作の右回りに対応して右方向に第２操作部画像５９、６９を表示させることで、操作部２０の回転操作の正回転が右回りであることを直感的に認識させることができる。
【０１０４】
また、選択項目を複数のページ６０ａ、６０ｂに表示させる場合には第２操作部画像６９を複数のページ６０ａ、６０ｂに対応した複数の区域６９ａ、６９ｂに区分して表示させるページに対応した第２操作部画像６９の区域を他の区域と識別して表示させる。これにより、ページ番号を別途表示させる必要なしに第２操作部画像６９を用いて選択項目の表示されているページを認識させることができ、ページ番号の表示スペースを省略して操作画面のスペースを有効に利用することが可能である。
【０１０５】
また、第２操作部画像５９、６９を操作画面の階層が深くなるほど第１操作部画像５７、６７から離れた位置に表示させる。これにより、表示されている操作画面の階層を第２操作部画像５９、６９の位置から容易に認識させることができる。
【０１０６】
本発明は、例示された実施の形態に限定されるものではなく、本発明の要旨を逸脱しない範囲において、種々の改良及び設計上の変更が可能である。
【産業上の利用可能性】
【０１０７】
以上のように、本発明によれば、車両用表示装置において、操作画面において操作部の操作ガイドを直感的に分かり易くすることが可能となるから、自動車等の車両の製造産業分野において好適に利用される可能性がある。
【符号の説明】
【０１０８】
１  車両
１０  ディスプレイ
２０  操作部
２１  コマンダ部
３０  車両用表示装置
３５  制御ユニット
３６  表示制御部
４０、５０、６０  操作画面
４１、５１、６１  操作部画像表示部
４２、５２、６２  回転選択項目表示部
４３、５３、６３  傾動選択項目表示部
４７、５７、５９、６７、６９  操作部画像
４８、４８´  アイコン
６９ａ、６９ｂ  操作部画像の区域
【図１】
2019056841.tif 000003
【図２】
2019056841.tif 000004
【図３】
2019056841.tif 000005
【図４】
2019056841.tif 000006
【図５】
2019056841.tif 000007
【図６】
2019056841.tif 000008
【図７】
2019056841.tif 000009
【図８】
2019056841.tif 000010
【図９】
2019056841.tif 000011
【手続補正書】
【提出日】平成31年1月18日(2019.1.18)
【手続補正１】
【補正対象書類名】特許請求の範囲
【補正対象項目名】全文
【補正方法】変更
【補正の内容】
【特許請求の範囲】
【請求項１】
操作画面を表示するディスプレイと、前記ディスプレイとは別に配置されて前記操作画面に対する操作を行う操作部と、前記ディスプレイに対する表示制御を行う表示制御部とを備えた車両用表示装置であって、
前記操作部は、回転操作可能に構成され、
前記表示制御部は、前記操作画面に前記操作部の形状を模した操作部画像を表示させると共に前記操作部画像に重なる位置に前記操作部の回転操作によって選択可能である選択項目を表示させ、
前記表示制御部は、前記操作部の回転操作に連動して回転するように前記操作部画像を表示させ、
前記操作部は、回転操作可能に構成されると共に円形状に形成されたコマンダ部を有し、
前記表示制御部は、前記操作部画像として前記コマンダ部の形状を模した円弧状画像を表示させ、
前記表示制御部は、前記コマンダ部の回転操作によって選択可能である前記選択項目を上下方向に並んで表示させると共に前記コマンダ部の右回りの回転操作に応じて選択される前記選択項目が下方に配置される前記選択項目に移動するように表示させ、且つ前記円弧状画像の右側の輝度を前記円弧状画像の左側の輝度より高く表示させ、
前記表示制御部は、前記操作画面を階層的に表示させ、階層ごとに前記コマンダ部の回転操作によって選択可能である前記選択項目を文字として表示させると共に前記選択項目の文字の背面に前記操作部画像を表示させる、
ことを特徴とする車両用表示装置。
【請求項２】
前記コマンダ部は、傾動操作可能に構成され、
前記表示制御部は、前記コマンダ部の傾動操作によって選択可能である選択項目のアイコンを前記操作部画像の外側において前記コマンダ部の傾動操作の操作方向に表示させ、
前記表示制御部は、前記コマンダ部の傾動操作によって選択可能である前記選択項目のアイコンを前記操作部画像の外側において前記操作部画像及び前記コマンダ部の回転操作によって選択可能である前記選択項目の文字の左方向に表示させる、
ことを特徴とする請求項１に記載の車両用表示装置。
【手続補正２】
【補正対象書類名】明細書
【補正対象項目名】００１０
【補正方法】変更
【補正の内容】
【００１０】
まず、本願の請求項１に記載の発明は、操作画面を表示するディスプレイと、前記ディスプレイとは別に配置されて前記操作画面に対する操作を行う操作部と、前記ディスプレイに対する表示制御を行う表示制御部とを備えた車両用表示装置であって、前記操作部は、回転操作可能に構成され、前記表示制御部は、前記操作画面に前記操作部の形状を模した操作部画像を表示させると共に前記操作部画像に重なる位置に前記操作部の回転操作によって選択可能である選択項目を表示させ、前記表示制御部は、前記操作部の回転操作に連動して回転するように前記操作部画像を表示させ、前記操作部は、回転操作可能に構成されると共に円形状に形成されたコマンダ部を有し、前記表示制御部は、前記操作部画像として前記コマンダ部の形状を模した円弧状画像を表示させ、前記表示制御部は、前記コマンダ部の回転操作によって選択可能である前記選択項目を上下方向に並んで表示させると共に前記コマンダ部の右回りの回転操作に応じて選択される前記選択項目が下方に配置される前記選択項目に移動するように表示させ、且つ前記円弧状画像の右側の輝度を前記円弧状画像の左側の輝度より高く表示させ、前記表示制御部は、前記操作画面を階層的に表示させ、階層ごとに前記コマンダ部の回転操作によって選択可能である前記選択項目を文字として表示させると共に前記選択項目の文字の背面に前記操作部画像を表示させることを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】変更
【補正の内容】
【００１４】
また、請求項２に記載の発明は、前記請求項１に記載の発明において、前記コマンダ部は、傾動操作可能に構成され、前記表示制御部は、前記コマンダ部の傾動操作によって選択可能である選択項目のアイコンを前記操作部画像の外側において前記コマンダ部の傾動操作の操作方向に表示させ、前記表示制御部は、前記コマンダ部の傾動操作によって選択可能である前記選択項目のアイコンを前記操作部画像の外側において前記操作部画像及び前記コマンダ部の回転操作によって選択可能である前記選択項目の文字の左方向に表示させることを特徴とする。
【手続補正７】
【補正対象書類名】明細書
【補正対象項目名】００１７
【補正方法】変更
【補正の内容】
【００１７】
また、操作部の回転操作に連動して回転するように操作部画像を表示させることにより、運転者に操作部の回転操作を直感的に認識させることができ、前記効果をより有効に奏することができる。
【手続補正８】
【補正対象書類名】明細書
【補正対象項目名】００１８
【補正方法】変更
【補正の内容】
【００１８】
また、操作部は、円形状に形成されたコマンダ部を有し、操作部画像としてコマンダ部の形状を模した円弧状画像を表示させることにより、操作部が円形状のコマンダ部を有する場合に、前記効果を有効に得ることができる。
【手続補正９】
【補正対象書類名】明細書
【補正対象項目名】００１９
【補正方法】変更
【補正の内容】
【００１９】
また、コマンダ部の右回りの回転操作に応じて選択される選択項目が下方に配置される選択項目に移動するように表示させると共にコマンダ部の形状を模した円弧状画像の右側の輝度を左側の輝度より高く表示させ、操作画面を階層的に表示させ、階層ごとコマンダ部の回転操作によって選択可能である選択項目を文字として表示させると共に選択項目の文字の背面に操作部画像を表示させることにより、コマンダ部の右回りの回転操作によって選択される選択項目が下方に移動されることを直感的に認識させることができる。
【手続補正１０】
【補正対象書類名】明細書
【補正対象項目名】００２０
【補正方法】変更
【補正の内容】
【００２０】
また、請求項２に記載の発明によれば、コマンダ部は、傾動操作可能に構成され、コマンダ部の傾動操作によって選択可能である選択項目のアイコンを操作部画像の外側においてコマンダ部の傾動操作の操作方向に表示させ、選択項目のアイコンを操作部画像の外側において操作部画像及び選択項目の文字の左方向に表示させることにより、運転者に操作部の傾動操作によって選択可能である選択項目を直感的に認識させることができ、前記効果をより有効に奏することができる。